(57)【要約】【課題】無線タグのＩＤ情報の漏洩を防止しつつ、特定の無線タグの存在を問い合わせることができるようにする。【解決手段】携帯端末１０１は、特定の無線タグ１０３の位置情報を要求する場合、無線タグ１０３のＩＤ情報を秘匿化する暗号鍵を生成し、無線タグ１０３に書き込み、無線タグ１０３は、携帯端末１０１から書き込まれた暗号鍵にて無線タグ１０３のＩＤ情報を秘匿化してから、自己のＩＤ情報を発信し、受信局１０２ｂは、無線タグ１０３から読み込んだ秘匿化されたＩＤ情報と、携帯端末１０１から受信した秘匿化されたＩＤ情報とを比較することで、通信エリアＲ２内に存在している無線タグ１０３が、携帯端末１０１から位置情報の要求があった無線タグ１０３と一致しているかどうかを判断する。【選択図】      図１
2008186049.tif 000002
【特許請求の範囲】
【請求項１】
自己を識別するＩＤ情報を保持するＩＤ保持部と、
前記ＩＤ情報を秘匿化する暗号鍵を外部から入力する暗号鍵入力部と、
前記暗号鍵入力部を介して入力された暗号鍵を保持する暗号鍵保持部と、
前記暗号鍵を用いて前記ＩＤ情報を秘匿化するＩＤ秘匿化部と、
前記ＩＤ秘匿化部にて秘匿化されたＩＤ情報を外部に出力するＩＤ出力部とを備えることを特徴とする無線タグ。
【請求項２】
無線タグのＩＤ情報を記録するＩＤ記録部と、
前記ＩＤ情報を秘匿化する暗号鍵を生成する暗号鍵生成部と、
前記暗号鍵生成部にて生成された暗号鍵を保持する暗号鍵保持部と、
前記暗号鍵生成部にて生成された暗号鍵を無線タグに書き込む暗号鍵書込部と、
前記暗号鍵を用いて前記ＩＤ情報を秘匿化するＩＤ秘匿化部と、
前記ＩＤ秘匿化部にて秘匿化されたＩＤ情報の送信を行う通信部とを備えることを特徴とする移動端末。
【請求項３】
暗号鍵を用いて無線タグにて秘匿化された前記無線タグのＩＤ情報を読み込むＩＤ情報読み込み部と、
暗号鍵を用いて移動端末にて秘匿化された無線タグのＩＤ情報を受信するＩＤ情報受信部と、
前記ＩＤ情報読み込み部にて読み込まれた秘匿化されたＩＤ情報と、前記ＩＤ情報受信部にて受信された秘匿化されたＩＤ情報とを比較するＩＤ情報比較部と、
前記ＩＤ情報比較部による比較結果を前記移動端末に通知する通知部とを備えることを特徴とするＩＤ情報の受信装置。
【請求項４】
無線タグのＩＤ情報を秘匿化する暗号鍵を移動端末側で生成するステップと、
前記移動端末側で生成された暗号鍵を無線タグに書き込むステップと、
前記無線タグに書き込まれた暗号鍵を用いて前記無線タグのＩＤ情報を秘匿化するステップとを備えることを特徴とするＩＤ情報の秘匿化方法。
【請求項５】
前記移動端末および前記無線タグは前記無線タグのＩＤ情報を同期して秘匿化することを特徴とする請求項４記載のＩＤ情報の秘匿化方法。
【請求項６】
無線タグのＩＤ情報を秘匿化する暗号鍵を移動端末側で生成するステップと、
前記移動端末側で生成された暗号鍵を無線タグに書き込むステップと、
前記無線タグに書き込まれた暗号鍵を用いて前記無線タグのＩＤ情報を秘匿化するステップと、
前記移動端末側で生成された暗号鍵を用いて前記無線タグのＩＤ情報を秘匿化するステップと、
前記無線タグにて秘匿化された前記無線タグのＩＤ情報を受信局に読み込むステップと、
前記移動端末にて秘匿化された無線タグのＩＤ情報を前記受信局で受信するステップと、
前記無線タグから読み込んだ秘匿化されたＩＤ情報と、前記移動端末から受信した秘匿化されたＩＤ情報とを前記受信局にて比較するステップと、
前記無線タグのＩＤ情報の比較結果を前記移動端末に通知するステップとを備えることを特徴とするＩＤ情報の問い合わせ方法。
【発明の詳細な説明】
【技術分野】
【０００１】
本発明は無線タグ、移動端末、ＩＤ情報の受信装置、ＩＤ情報の秘匿化方法およびＩＤ情報の問い合わせ方法に関し、特に、無線タグに割り当てられたＩＤ情報の漏洩を防止しつつ、特定の無線タグの存在を問い合わせる方法に適用して好適なものである。
【背景技術】
【０００２】
近年では、無線タグを利用した物品管理や位置測位が普及してきている。例えば、人物が携帯する物品に無線タグを付加することで、人物から物品が離れたことを知らせる忘れ物通知や、子供に無線タグを所持させることで、遠隔から子供の位置や画像を監視する子供見守りなどの様々なサービスが検討されている。
その一方で、ＩＤプライバシ問題やＩＤ詐称問題なども発生している。このＩＤプライバシ問題は、無線タグが同一のＩＤを発信していることを利用し、同一の無線タグを保持する人物を同定することで、その人物を追跡することができるというものである。ＩＤ詐称問題は、ある無線タグのＩＤを傍受および記録し、そのＩＤを発信できる装置を用いることで、実際には存在しない無線タグがあたかも存在しているように振舞うことができるというものである。
【０００３】
また、例えば、特許文献１には、読み取った無線タグＩＤを再暗号化して無線タグに書き込む機能を、無線タグＩＤの受信局に持たせ、無線タグＩＤを受信局が読み取る際に、無線タグＩＤの再暗号化と書き込みを随時行うことで、無線タグＩＤを秘匿化する方法が開示されている。
また、例えば、特許文献２には、重複しない複数のＩＤを含むＩＤリストを無線タグに登録するとともに、同様の複数のＩＤリストをサーバに保持した上で、無線タグは、受信局からの要求に応じて、ＩＤリストに記録された重複しないＩＤを１つずつ順次発信することでＩＤを秘匿化し、サーバは、無線タグから発信されたＩＤをＩＤリスト上で照合することで同一の無線タグを同定する方法が開示されている。
【０００４】
また、例えば、特許文献３には、時刻に依存する値に基づいて自身のＩＤを秘匿化する機能を無線タグに持たせ、無線タグは、時刻に応じて異なるＩＤを発信することでＩＤを秘匿化し、受信局では、無線タグから発信されるＩＤを復号化することで同一の無線タグを同定する方法が開示されている。
【特許文献１】特開２００４−３１８４７８号公報
【特許文献２】特開２００６−６７０６２号公報
【特許文献３】特開２００５−３０９９８６号公報
【発明の開示】
【発明が解決しようとする課題】
【０００５】
しかしながら、従来のＩＤ情報の秘匿化方法では、無線タグから発信されるＩＤの漏洩を防止するために、無線タグから発信されるＩＤの値を特定できないようにすると、ユーザが、あるＩＤを持つ無線タグの存在を受信局に問い合わせることができなくなるという問題があった。
一方、ユーザが、あるＩＤを持つ無線タグの存在を受信局に問い合わせることができるようにするために、受信局やサーバが、無線タグのＩＤを受信した際に、無線タグから発信される秘匿化されたＩＤを復号して保持できるようにすると、受信局やサーバやユーザとの間のネットワーク上において無線タグのＩＤの漏洩が発生するという問題があった。
そこで、本発明の目的は、無線タグのＩＤ情報の漏洩を防止しつつ、特定の無線タグの存在を問い合わせることが可能な無線タグ、移動端末、ＩＤ情報の受信装置、ＩＤ情報の秘匿化方法およびＩＤ情報の問い合わせ方法を提供することである。
【課題を解決するための手段】
【０００６】
上述した課題を解決するために、請求項１記載の無線タグによれば、自己を識別するＩＤ情報を保持するＩＤ保持部と、前記ＩＤ情報を秘匿化する暗号鍵を外部から入力する暗号鍵入力部と、前記暗号鍵入力部を介して入力された暗号鍵を保持する暗号鍵保持部と、前記暗号鍵を用いて前記ＩＤ情報を秘匿化するＩＤ秘匿化部と、前記ＩＤ秘匿化部にて秘匿化されたＩＤ情報を外部に出力するＩＤ出力部とを備えることを特徴とする。
これにより、移動端末から無線タグに暗号鍵を直接書き込むことが可能となり、無線タグから発信される秘匿化されたＩＤ情報を復号することなく、無線タグのＩＤ情報を照合することが可能となることから、無線タグのＩＤ情報の漏洩を防止しつつ、特定の無線タグの存在を問い合わせることが可能となる。
【０００７】
また、請求項２記載の移動端末によれば、無線タグのＩＤ情報を記録するＩＤ記録部と、前記ＩＤ情報を秘匿化する暗号鍵を生成する暗号鍵生成部と、前記暗号鍵生成部にて生成された暗号鍵を保持する暗号鍵保持部と、前記暗号鍵生成部にて生成された暗号鍵を無線タグに書き込む暗号鍵書込部と、前記暗号鍵を用いて前記ＩＤ情報を秘匿化するＩＤ秘匿化部と、前記ＩＤ秘匿化部にて秘匿化されたＩＤ情報の送信を行う通信部とを備えることを特徴とする。
これにより、移動端末から無線タグに暗号鍵を直接書き込むことが可能となり、移動端末にて保持されている暗号鍵を用いて無線タグのＩＤ情報を暗号化したまま無線タグのＩＤ情報を照合することが可能となることから、無線タグのＩＤ情報の漏洩を防止しつつ、特定の無線タグの存在を問い合わせることが可能となる。
【０００８】
また、請求項３記載のＩＤ情報の受信装置によれば、暗号鍵を用いて無線タグにて秘匿化された前記無線タグのＩＤ情報を読み込むＩＤ情報読み込み部と、暗号鍵を用いて移動端末にて秘匿化された無線タグのＩＤ情報を受信するＩＤ情報受信部と、前記ＩＤ情報読み込み部にて読み込まれた秘匿化されたＩＤ情報と、前記ＩＤ情報受信部にて受信された秘匿化されたＩＤ情報とを比較するＩＤ情報比較部と、前記ＩＤ情報比較部による比較結果を前記移動端末に通知する通知部とを備えることを特徴とする。
これにより、移動端末から無線タグに暗号鍵を直接書き込むことが可能となり、無線タグから発信される秘匿化されたＩＤ情報と、移動端末から送信される秘匿化されたＩＤ情報とを復号することなく照合することが可能となることから、無線タグのＩＤ情報の漏洩を防止しつつ、特定の無線タグの存在を問い合わせることが可能となる。
【０００９】
また、請求項４記載のＩＤ情報の秘匿化方法によれば、無線タグのＩＤ情報を秘匿化する暗号鍵を移動端末側で生成するステップと、前記移動端末側で生成された暗号鍵を無線タグに書き込むステップと、前記無線タグに書き込まれた暗号鍵を用いて前記無線タグのＩＤ情報を秘匿化するステップとを備えることを特徴とする。
これにより、移動端末から無線タグに暗号鍵を直接書き込むことが可能となり、無線タグから発信される秘匿化されたＩＤ情報を復号することなく、無線タグのＩＤ情報を照合することが可能となることから、無線タグのＩＤ情報の漏洩を防止しつつ、特定の無線タグの存在を問い合わせることが可能となる。
【００１０】
また、請求項５記載のＩＤ情報の秘匿化方法によれば、前記移動端末および前記無線タグは前記無線タグのＩＤ情報を同期して秘匿化することを特徴とする。
これにより、移動端末は現時点での秘匿化されたＩＤを計算することができ、現時点での秘匿化された無線タグのＩＤを用いて、特定の無線タグの存在を問い合わせることが可能となることから、無線タグのＩＤ情報の漏洩を防止することが可能となる。
【００１１】
また、請求項６記載のＩＤ情報の問い合わせ方法によれば、無線タグのＩＤ情報を秘匿化する暗号鍵を移動端末側で生成するステップと、前記移動端末側で生成された暗号鍵を無線タグに書き込むステップと、前記無線タグに書き込まれた暗号鍵を用いて前記無線タグのＩＤ情報を秘匿化するステップと、前記移動端末側で生成された暗号鍵を用いて前記無線タグのＩＤ情報を秘匿化するステップと、前記無線タグにて秘匿化された前記無線タグのＩＤ情報を受信局に読み込むステップと、前記移動端末にて秘匿化された無線タグのＩＤ情報を前記受信局で受信するステップと、前記無線タグから読み込んだ秘匿化されたＩＤ情報と、前記移動端末から受信した秘匿化されたＩＤ情報とを前記受信局にて比較するステップと、前記無線タグのＩＤ情報の比較結果を前記移動端末に通知するステップとを備えることを特徴とする。
これにより、移動端末にて保持されている暗号鍵を無線タグに直接書き込むことが可能となり、移動端末と無線タグとで同一の暗号鍵を共有することが可能となる。このため、無線タグのＩＤ情報を照合するために、無線タグのＩＤ情報を復号する必要がなくなり、無線タグのＩＤ情報の漏洩を防止しつつ、特定の無線タグの存在を問い合わせることが可能となる。
【発明の効果】
【００１２】
以上説明したように、本発明によれば、移動端末にて保持されている暗号鍵を無線タグに直接書き込むことが可能となり、無線タグのＩＤ情報の漏洩を防止しつつ、特定の無線タグの存在を問い合わせることが可能となる。
【発明を実施するための最良の形態】
【００１３】
以下、本発明の実施形態に係るＩＤ情報の秘匿化方法について図面を参照しながら説明する。
図１は、本発明の一実施形態に係る無線タグに割り当てられたＩＤ情報の秘匿化方法が適用されるシステムの概略構成を示すブロック図である。
図１において、受信局１０２ａ〜１０２ｃにはそれぞれ通信エリアＲ１〜Ｒ３が設けられ、受信局１０２ａ〜１０２ｃは、この通信エリアＲ１〜Ｒ３に入った無線タグ１０３、１０６とそれぞれ通信を確立することができる。
【００１４】
また、携帯端末１０１は、無線タグ１０３、１０６と通信を確立するとともに、基地局１０７を介して通信ネットワーク１０４に接続することができる。
そして、受信局１０２ａ〜１０２ｃは通信ネットワーク１０４を介して互いに接続され、携帯端末１０１は通信ネットワーク１０４を介して受信局１０２ａ〜１０２ｃと通信を行うことができる。
なお、無線タグ１０３、１０６としては、例えば、ＲＦＩＤ（Ｒａｄｉｏ  ｆｒｅｑｕｅｎｃｙ  ｉｄｅｎｔｉｆｉｃａｔｉｏｎ）タグやＩＣタグや非接触ＩＣカード、受信局１０２ａ〜１０２ｃとしては、例えば、タグリーダやカードリーダ、通信ネットワーク１０４としては、例えば、インターネットや公衆電話網やＬＡＮ、携帯端末１０１としては、例えば、携帯電話機やＰＤＡ（Ｐｅｒｓｏｎａｌ  Ｄｉｇｉｔａｌ  Ａｓｓｉｓｔａｎｔ）やノート型パーソナルコンピュータなどを用いることができる。
【００１５】
そして、携帯端末１０１は通信ネットワーク１０４を介して受信局１０２ａ〜１０２ｃと通信を行うことで、特定の無線タグ１０３の位置情報を要求する。そして、受信局１０２ａ〜１０２ｃは、無線タグ１０３の位置情報が携帯端末１０１から要求されると、無線タグ１０３にそれぞれＩＤ情報を要求する。
ここで、無線タグ１０３が受信局１０２ｂの通信エリアＲ２内に存在しているものとすると、受信局１０２ｂは無線タグ１０３と通信を確立する。そして、受信局１０２ｂからＩＤ情報が要求されると、無線タグ１０３は、受信局１０２ｂからＩＤ情報の要求を受け取り、自己のＩＤ情報を発信する。そして、受信局１０２ｂは、無線タグ１０３からＩＤ情報が発信されると、無線タグ１０３から発信されたＩＤ情報を受信する。
【００１６】
そして、受信局１０２ｂは、無線タグ１０３から発信されたＩＤ情報を受信すると、携帯端末１０１から位置情報の要求があった無線タグ１０３のＩＤ情報と、無線タグ１０３から発信されたＩＤ情報とを比較することで、通信エリアＲ２内に存在している無線タグ１０３が、携帯端末１０１から位置情報の要求があった無線タグ１０３と一致しているかどうかを判断する。そして、受信局１０２ｂは、携帯端末１０１から位置情報の要求があった無線タグ１０３のＩＤ情報と、無線タグ１０３から発信されたＩＤ情報とを比較した結果、これらのＩＤ情報が一致している場合、通信ネットワーク１０４を介してその旨を携帯端末１０１に通知する。
【００１７】
ここで、携帯端末１０１は、特定の無線タグ１０３の位置情報を要求する場合、無線タグ１０３のＩＤ情報を秘匿化する暗号鍵を生成し、無線タグ１０３に書き込むことができる。なお、無線タグ１０３に暗号鍵を書き込む場合、無線タグ１０３が流通する前に、携帯端末１０１から無線タグ１０３に暗号鍵を事前に書き込むことができる。
そして、携帯端末１０１は、無線タグ１０３の位置情報を受信局１０２ａ〜１０２ｃに要求する場合、携帯端末１０１にて生成された暗号鍵にて無線タグ１０３のＩＤ情報を秘匿化してから、その無線タグ１０３のＩＤ情報を受信局１０２ａ〜１０２ｃに送信することができる。
【００１８】
また、無線タグ１０３は、受信局１０２ａ〜１０２ｃからＩＤ情報の要求があった場合、携帯端末１０１から書き込まれた暗号鍵にて無線タグ１０３のＩＤ情報を秘匿化してから、自己のＩＤ情報を発信することができる。
そして、受信局１０２ｂでは、無線タグ１０３から読み込んだ秘匿化されたＩＤ情報と、携帯端末１０１から受信した秘匿化されたＩＤ情報とを比較することで、通信エリアＲ２内に存在している無線タグ１０３が、携帯端末１０１から位置情報の要求があった無線タグ１０３と一致しているかどうかを判断することができる。
【００１９】
そして、受信局１０２ｂは、携帯端末１０１から位置情報の要求があった無線タグ１０３のＩＤ情報と、無線タグ１０３から発信されたＩＤ情報とが一致している場合、通信ネットワーク１０４を介してその旨を携帯端末１０１に通知することができる。
これにより、携帯端末１０１にて保持されている暗号鍵を無線タグ１０３に直接書き込むことが可能となり、携帯端末１０１と無線タグ１０３とで同一の暗号鍵を共有することが可能となる。このため、無線タグ１０３のＩＤ情報を受信局１０２ｂにて照合するために、無線タグ１０３のＩＤ情報を受信局１０２ｂにて復号する必要がなくなり、無線タグ１０３のＩＤ情報の漏洩を防止しつつ、特定の無線タグ１０３の存在を問い合わせることが可能となる。
【００２０】
なお、携帯端末１０１にて生成される暗号鍵は、公開鍵に代表される非対称鍵であってもよいし、共通鍵として用いられる対称鍵であってもよい。ここで、非対称鍵を使用する場合、秘密鍵を無線タグ１０３に書き込み、公開鍵は破棄することができる。また、ハッシュ関数を暗号鍵の代わりに使用してもよい。
また、携帯端末１０１および無線タグ１０３は無線タグ１０３のＩＤ情報を同期して秘匿化するようにしてもよい。ここで、同期して秘匿化する方法としては、例えば、時計を用いて時刻情報とＩＤに基づく再暗号化を行う方法、時刻情報に基づいてＩＤにハッシュ関数を適用する回数を決める方法などを用いることができる。
【００２１】
また、上述した実施形態では、携帯端末１０１は通信ネットワーク１０４を介して受信局１０２ａ〜１０２ｃに特定の無線タグ１０３の位置情報を要求する方法について説明したが、受信局１０２ａ〜１０２ｃに接続された管理サーバがある場合には、携帯端末１０１は通信ネットワーク１０４を介して管理サーバに特定の無線タグ１０３の位置情報を要求するようにしてもよい。
また、無線タグ１０３の位置情報は、例えば、無線タグ１０３を検出した受信局１０２ａ〜１０２ｃの識別子や受信局１０２ａ〜１０２ｃが配置されている経度緯度などの情報で表すことができる。
【００２２】
図２は、本発明の一実施形態に係る携帯端末の概略構成を示すブロック図である。
図２において、携帯端末１０１には、無線タグ１０３のＩＤ情報を記録するＩＤ記録部２０３、無線タグ１０３のＩＤ情報を秘匿化する暗号鍵を生成する暗号鍵生成部２０６、暗号鍵生成部２０６にて生成された暗号鍵を保持する暗号鍵保持部２０５、暗号鍵生成部２０６にて生成された暗号鍵を無線タグ１０３に書き込む暗号鍵書込部２０２、暗号鍵生成部２０６にて生成された暗号鍵を用いて無線タグ１０３のＩＤ情報を秘匿化するＩＤ秘匿化部２０４およびＩＤ秘匿化部にて秘匿化された無線タグ１０３のＩＤ情報を受信局１０２ａ〜１０２ｃに送信する通信部２０１が設けられている。
【００２３】
そして、無線タグ１０３の位置情報を受信局１０２ａ〜１０２ｃに要求する場合、暗号鍵生成部２０６は、無線タグ１０３のＩＤ情報を秘匿化する暗号鍵を生成し、暗号鍵保持部２０５に保持させることができる。そして、暗号鍵書込部２０２は、暗号鍵生成部２０６にて生成された暗号鍵を無線タグ１０３に書き込むことができる。また、ＩＤ秘匿化部２０４は、暗号鍵生成部２０６にて生成された暗号鍵を用いて無線タグ１０３のＩＤ情報を秘匿化し、その秘匿化された無線タグ１０３のＩＤ情報を通信部２０１を介して受信局１０２ａ〜１０２ｃに送信することができる。
【００２４】
これにより、携帯端末１０１から無線タグ１０３に暗号鍵を直接書き込むことが可能となり、携帯端末１０１にて保持されている暗号鍵を用いて無線タグ１０３のＩＤ情報を暗号化したまま無線タグ１０３のＩＤ情報を照合することが可能となることから、無線タグ１０３のＩＤ情報の漏洩を防止しつつ、特定の無線タグの存在を問い合わせることが可能となる。
【００２５】
なお、暗号鍵書込部２０２、ＩＤ秘匿化部２０４および暗号鍵生成部２０６は、これらのブロックで行われる処理を遂行させる命令が記述されたプログラムをコンピュータに実行させることにより実現することができる。そして、このプログラムを携帯端末１０１に搭載されたコンピュータにインストールすることにより、暗号鍵書込部２０２、ＩＤ秘匿化部２０４および暗号鍵生成部２０６で行われる処理を携帯端末１０１上で実現することができる。
【００２６】
図３は、本発明の一実施形態に係る無線タグの概略構成を示すブロック図である。
図３において、無線タグ１０３には、自己を識別するＩＤ情報を保持するＩＤ保持部３０３、無線タグ１０３のＩＤ情報を秘匿化する暗号鍵を携帯端末１０１から入力する暗号鍵入力部３０２、暗号鍵入力部３０２を介して入力された暗号鍵を保持する暗号鍵保持部３０５、携帯端末１０１から入力された暗号鍵を用いて無線タグ１０３のＩＤ情報を秘匿化するＩＤ秘匿化部３０４およびＩＤ秘匿化部にて秘匿化された無線タグ１０３のＩＤ情報を受信局１０２ａ〜１０２ｃに出力するＩＤ出力部３０１が設けられている。
【００２７】
そして、無線タグ１０３には、無線タグ１０３のＩＤ情報を秘匿化する暗号鍵が携帯端末１０１から暗号鍵入力部３０２を介して入力され、暗号鍵保持部３０５に保持される。そして、受信局１０２ａ〜１０２ｃからＩＤ情報の要求があった場合、ＩＤ秘匿化部３０４は、暗号鍵保持部３０５に保持されている暗号鍵にてＩＤ保持部３０３に保持されているＩＤ情報を秘匿化し、ＩＤ出力部３０１を介して受信局１０２ａ〜１０２ｃに通知する  これにより、携帯端末１０１から無線タグ１０３に暗号鍵を直接書き込むことが可能となり、無線タグ１０３から発信される秘匿化されたＩＤ情報を復号することなく、無線タグ１０３のＩＤ情報を照合することが可能となることから、無線タグ１０３のＩＤ情報の漏洩を防止しつつ、特定の無線タグ１０３の存在を問い合わせることが可能となる。
【００２８】
なお、ＩＤ出力部３０１、暗号鍵入力部３０２およびＩＤ秘匿化部３０４は、これらのブロックで行われる処理を遂行させる命令が記述されたプログラムをコンピュータに実行させることにより実現することができる。そして、このプログラムを無線タグ１０３に搭載されたコンピュータにインストールすることにより、ＩＤ出力部３０１、暗号鍵入力部３０２およびＩＤ秘匿化部３０４で行われる処理を無線タグ１０３上で実現することができる。
【００２９】
図４は、本発明の一実施形態に係る受信局の概略構成を示すブロック図である。
図４において、受信局１０２ａ〜１０２ｃには、暗号鍵を用いて無線タグ１０３にて秘匿化された無線タグ１０３のＩＤ情報を読み込むＩＤ情報読み込み部４０１、暗号鍵を用いて携帯端末１０１にて秘匿化された無線タグ１０３のＩＤ情報を受信するＩＤ情報受信部４０２、ＩＤ情報読み込み部４０１にて読み込まれた秘匿化された無線タグ１０３のＩＤ情報と、ＩＤ情報受信部４０２にて受信された秘匿化された無線タグ１０３のＩＤ情報とを比較するＩＤ情報比較部４０３およびＩＤ情報比較部４０３による比較結果を携帯端末１０１に通知する通知部４０４がそれぞれ設けられている。
【００３０】
そして、受信局１０２ａ〜１０２ｃは、無線タグ１０３の位置情報が携帯端末１０１から要求された場合、無線タグ１０３にＩＤ情報を要求し、無線タグ１０３から発信されたＩＤ情報を受信する。
そして、受信局１０２ａ〜１０２ｃは、携帯端末１０１から位置情報の要求があった無線タグ１０３のＩＤ情報と、無線タグ１０３から発信されたＩＤ情報とをそれぞれ比較する。そして、受信局１０２ａ〜１０２ｃは、携帯端末１０１から位置情報の要求があった無線タグ１０３のＩＤ情報と、無線タグ１０３から発信されたＩＤ情報とが一致している場合、通信ネットワーク１０４を介してその旨を携帯端末１０１にそれぞれ通知する。
【００３１】
これにより、携帯端末１０１から無線タグ１０３に暗号鍵を直接書き込むことが可能となり、無線タグ１０３から発信される秘匿化されたＩＤ情報と、携帯端末１０１から送信される秘匿化されたＩＤ情報とを復号することなく照合することが可能となることから、無線タグ１０３のＩＤ情報の漏洩を防止しつつ、特定の無線タグ１０３の存在を問い合わせることが可能となる。
【００３２】
なお、ＩＤ情報読み込み部４０１、ＩＤ情報受信部４０２、ＩＤ情報比較部４０３および通知部４０４は、これらのブロックで行われる処理を遂行させる命令が記述されたプログラムをコンピュータに実行させることにより実現することができる。そして、このプログラムを受信局１０２ａ〜１０２に搭載されたコンピュータにそれぞれインストールすることにより、ＩＤ情報読み込み部４０１、ＩＤ情報受信部４０２、ＩＤ情報比較部４０３および通知部４０４で行われる処理を受信局１０２ａ〜１０２上それぞれ実現することができる。
【００３３】
図５は、本発明の一実施形態に係る無線タグに暗号鍵を書き込む方法を示すブロック図、図６は、本発明の一実施形態に係る無線タグに暗号鍵を書き込む方法を示すフローチャートである。
図５および図６において、暗号鍵生成部２０６は、無線タグ１０３のＩＤ情報を秘匿化する暗号鍵を生成し（ステップＳ６０１）、その暗号鍵を暗号鍵書込部２０２を介して無線タグ１０３に通知する（ステップＳ６０２）。そして、無線タグ１０３は、暗号鍵入力部３０２を介して暗号鍵を受信し、その暗号鍵を暗号鍵保持部３０５に保持する（ステップＳ６０３）。
【００３４】
図７は、本発明の一実施形態に係る携帯端末が無線タグに割り当てられたＩＤ情報を問い合わせる方法を示すブロック図、図８は、本発明の一実施形態に係る携帯端末が無線タグに割り当てられたＩＤ情報を問い合わせる方法を示すフローチャート、図９は、本発明の一実施形態に係る受信局が無線タグに割り当てられたＩＤ情報を受信する方法を示すフローチャートである。
図７および図８において、携帯端末１０１は、無線タグ１０３の位置情報を受信局１０２ａ〜１０２ｃに要求する場合、ＩＤ秘匿化部２０４は、ＩＤ記録部２０３に記録されている無線タグ１０３のＩＤ情報を、暗号鍵生成部２０６にて生成された暗号鍵を用いて秘匿化し（ステップＳ７０１）、その秘匿化された無線タグ１０３のＩＤ情報を通信部２０１を介して受信局１０２ａ〜１０２ｃに送信する（ステップＳ７０２）。
【００３５】
また、図７および図９において、受信局１０２ａ〜１０２ｃは、無線タグ１０３の位置情報が携帯端末１０１から要求された場合、無線タグ１０３のＩＤ情報を無線タグ１０３に要求する（ステップＳ８０１）。そして、無線タグ１０３は、受信局１０２ａ〜１０２ｃからＩＤ情報が要求されると、暗号鍵保持部３０５に保持されている暗号鍵にてＩＤ保持部３０３に保持されている自己のＩＤ情報を秘匿化し（ステップＳ８０２）、ＩＤ出力部３０１を介して受信局１０２ａ〜１０２ｃに通知する（ステップＳ８０３）。
【００３６】
そして、図７および図８において、受信局１０２ａ〜１０２ｃは、無線タグ１０３のＩＤ情報を携帯端末１０１および無線タグ１０３から受け取ると、携帯端末１０１から位置情報の要求があった無線タグ１０３のＩＤ情報と、無線タグ１０３から発信されたＩＤ情報とをそれぞれ比較する（ステップＳ７０３）。そして、受信局１０２ａ〜１０２ｃは、携帯端末１０１から位置情報の要求があった無線タグ１０３のＩＤ情報と、無線タグ１０３から発信されたＩＤ情報とが一致している場合、通信ネットワーク１０４を介してその旨を携帯端末１０１にそれぞれ通知する（ステップＳ７０４）。
【図面の簡単な説明】
【００３７】
【図１】本発明の一実施形態に係る無線タグに割り当てられたＩＤ情報の秘匿化方法が適用されるシステムの概略構成を示すブロック図である。
【図２】本発明の一実施形態に係る携帯端末の概略構成を示すブロック図である。
【図３】本発明の一実施形態に係る無線タグの概略構成を示すブロック図である。
【図４】本発明の一実施形態に係る受信局の概略構成を示すブロック図である。
【図５】本発明の一実施形態に係る無線タグに暗号鍵を書き込む方法を示すブロック図である。
【図６】本発明の一実施形態に係る無線タグに暗号鍵を書き込む方法を示すフローチャートである。
【図７】本発明の一実施形態に係る携帯端末が無線タグに割り当てられたＩＤ情報を問い合わせる方法を示すブロック図である。
【図８】本発明の一実施形態に係る携帯端末が無線タグに割り当てられたＩＤ情報を問い合わせる方法を示すフローチャートである。
【図９】本発明の一実施形態に係る受信局が無線タグに割り当てられたＩＤ情報を受信する方法を示すフローチャートである。
【符号の説明】
【００３８】
Ｒ１〜Ｒ３  通信エリア
１０１  携帯端末
１０２ａ〜１０２ｃ  受信局
１０３、１０６  無線タグ
１０４  ネットワーク
１０７  基地局
２０１  通信部
２０２  暗号鍵書込部
２０３  ＩＤ記録部
２０４、３０４  ＩＤ秘匿化部
２０５、３０５  暗号鍵保持部
２０６  暗号鍵生成部
３０１  ＩＤ出力部
３０２  暗号鍵入力部
３０３  ＩＤ保持部
４０１  ＩＤ情報読み込み部
４０２  ＩＤ情報受信部
４０３  ＩＤ情報比較部
４０４  通知部
【図１】
2008186049.tif 000003
【図２】
2008186049.tif 000004
【図３】
2008186049.tif 000005
【図４】
2008186049.tif 000006
【図５】
2008186049.tif 000007
【図６】
2008186049.tif 000008
【図７】
2008186049.tif 000009
【図８】
2008186049.tif 000010
【図９】
2008186049.tif 000011